(57)【要約】【課題】所望チャンネルの測定データのチャートを簡単な操作で表示する。【解決手段】データ表示装置１は複数チャンネルの測定データを各チャンネル毎のチャートとして表示画面２４ａ上に表示するものであり、チャンネル表示部３１のチャンネル表示部分やチャンネル指標をタッチまたはクリックなどしてチャンネル選択すると、そのチャンネルの測定データのチャートと、そのチャートと対応するスケールのみを表示画面２４ａに表示する。チャンネル表示部３１のチャンネル表示部分やチャンネル指標を再度タッチまたはクリックなどしてチャンネル選択すると、選択直前の表示状態に戻る。【選択図】                図３
2004325121.tif 000002
【特許請求の範囲】
【請求項１】
複数チャンネルの測定データを各チャンネル毎のチャートとして表示画面上に表示するデータ表示装置において、
前記表示画面上に現在表示されているチャートの中から該チャートに対応する任意のチャンネルを選択するチャンネル選択手段と、
該チャンネル選択手段によりチャンネルが選択されたときにその選択されたチャンネルのチャートのみを前記表示画面に表示し、再度同チャンネルが前記チャンネル選択手段により選択されたときには選択前のチャートの表示状態に戻す制御手段とを備えたことを特徴とするデータ表示装置。
【請求項２】
前記制御手段は、表示される各チャンネルのチャートと対応するスケールを前記表示画面上に同時に表示する請求項１記載のデータ表示装置。
【請求項３】
前記制御手段は、現在データと対応してチャンネル情報を示すチャンネル指標を表示する請求項１記載のデータ表示装置。
【発明の詳細な説明】
【０００１】
【発明の属する技術分野】
本発明は、複数チャンネルの各種入力信号の測定データを表示するデータ表示装置に関し、特に、熱電対や測温抵抗体などの温度検出素子からの温度信号の他、接点信号や電圧信号などの各種入力信号の測定データの経時変化（時間経過に対する値の変化）をチャートとして記録紙に代え表示画面上に表示するデータ表示装置に関する。
【０００２】
【従来の技術】
従来、例えば熱電対や測温抵抗体などの温度検出素子からの温度信号の他、接点信号、電圧信号などの信号を取り込み、この取り込んだ信号を各チャンネル毎の測定データとしてその経時変化を表示画面上にチャート表示するペーパーレスの記録計が既に知られている。
この出願の発明に関連する先行技術文献情報としては以下のものがある。
【０００３】
【特許文献１】
特公平５−３３７２５号公報
【０００４】
図７は上記特許文献１に開示される記録計の正面図である。図７に示すように、この記録計５１は、表示部５２を有し、例えば熱電対や測温抵抗体などの温度検出素子からの温度信号の他、接点信号や電圧信号などを入力信号として取り込み、この取り込んだ信号を各チャンネル毎の測定データとして表示部５２の表示画面５２ａ上に表示している。その際、表示部５２の表示画面５２ａ上には、各チャンネル毎の測定データの経時変化がチャートとして表示されるようになっている。これにより、記録紙を必要とせず、あたかも記録紙が画面を流れるように各チャンネル毎の測定データをトレンド表示するペーパーレス記録計が構成される。
【０００５】
ところで、上記特許文献１を含め、表示画面上に複数チャンネルの測定データを表示する従来のペーパーレス記録計では、所望チャンネルの測定データのチャートのみを表示する場合、その都度表示画面を設定画面に切り替え、この設定画面上でチャート表示を行うためのチャンネルを選択して設定を行っていた。
【０００６】
【発明が解決しようとする課題】
しかしながら、上述した従来のペーパーレス記録計では、所望チャンネルの測定データのチャートを表示する際、その都度、設定画面を表示させてチャンネルを選択設定するという煩わしい操作が必要不可欠であり、所望チャンネルの測定データのチャートを表示させるまでに手間と時間を要していた。すなわち、従来のペーパーレス記録計では、必要時に所望チャンネルの測定データのチャートのみを簡単な操作により即座に切り替えて表示することができなかった。
【０００７】
そこで、本発明は、上記問題点に鑑みてなされたものであり、所望チャンネルの測定データのチャートを簡単な操作で表示することができるデータ表示装置を提供することを目的としている。
【０００８】
【課題を解決するための手段】
上記目的を達成するため、請求項１の発明は、複数チャンネルの測定データを各チャンネル毎のチャートとして表示画面上に表示するデータ表示装置において、
前記表示画面上に現在表示されているチャートの中から該チャートに対応する任意のチャンネルを選択するチャンネル選択手段と、
該チャンネル選択手段によりチャンネルが選択されたときにその選択されたチャンネルのチャートのみを前記表示画面に表示し、再度同チャンネルが前記チャンネル選択手段により選択されたときには選択前のチャートの表示状態に戻す制御手段とを備えたことを特徴とする。
【０００９】
請求項２の発明は、請求項１記載のデータ表示装置において、前記制御手段は、表示される各チャンネルのチャートと対応するスケールを前記表示画面上に同時に表示することを特徴とする。
【００１０】
請求項３の発明は、請求項１記載のデータ表示装置において、前記制御手段は、現在データと対応してチャンネル情報を示すチャンネル指標を表示することを特徴とする。
【００１１】
【発明の実施の形態】
以下、本発明に係るデータ表示装置の好適な実施の形態を図面を参照して詳細に説明する。
【００１２】
図１は本発明に係るデータ表示装置の概略構成図、図２は同データ表示装置の機能ブロック図、図３乃至図５は同データ表示装置による各チャンネル毎の測定データの表示例を示す図である。
【００１３】
図１に示すデータ表示装置１は、ＬＡＮケーブル２を用いてイーサネット（Ｒ）によりネットワーク接続されたデータ収録装置３と端末装置４を備えて構成される。
【００１４】
図２に示すように、データ収録装置３は、設定手段１１、入出力手段１２、記憶手段１３、制御手段１４を備えている。
【００１５】
設定手段１１は、データ収録に関する各種設定を行っている。この設定手段１１で設定される各種設定情報は制御手段１４に入力される。なお、この設定手段１１による各種設定は、ネットワーク又はシリアル通信により行う他、例えばユーザのキー操作により手動で設定することができる。
【００１６】
入出力手段１２は、Ｉ／Ｏインターフェースであり、例えば熱電対や測温抵抗体などの温度検出素子からの温度信号の他、接点信号や電圧信号などの各種入力信号を各チャンネル毎に入力している。このチャンネル毎の各種入力信号は、図１に示すような通信ケーブル１５によりネットワーク接続された複数の入力モジュール１６を介して取り込む他、直接入出力手段１２からも取り込み可能となっている。また、入出力手段１２は、データ収録装置３に対し、後述する端末装置４からブラウザ（ＷＷＷブラウザ、Ｉｎｔｅｒｎｅｔ  Ｅｘｐｌｏｒｅｒ  （Ｒ）、Ｎｅｔｓｃａｐｅ（Ｒ）、ビューアなどのソフト）の起動により収録データの閲覧要求があったときに、記憶手段１３に記憶された各チャンネル毎の測定データをＬＡＮケーブル２を介して端末装置４に出力している。
【００１７】
記憶手段１３は、例えばＲＯＭ，ＲＡＭなどで構成される。この記憶手段１３には、データ収録の処理に関する各種処理プログラムが記憶されている。また、記憶手段１３には、入出力手段１２から入力される各チャンネル毎の入力信号を測定データとして記憶している。なお、この記憶手段１３は、各チャンネル毎の測定データを記憶するものとして、本体に着脱可能な外部記憶媒体も含む。
【００１８】
制御手段１４は、例えばＣＰＵなどのマイクロプロセッサで構成され、設定手段１１に設定された各種設定情報と記憶手段１３に格納された各種処理プログラムに基づいてデータ収録に関する処理と端末装置４からの収録データの閲覧要求に対する処理を制御している。具体的には、各チャンネル毎の入力信号を入出力手段１２から取り込む制御、各チャンネル毎の入力信号を測定データとして記憶手段１３に記憶する制御、端末装置４から収録データの閲覧要求時に記憶手段１３に記憶された測定データを端末装置４に出力する制御などを行っている。
【００１９】
図２に示すように、端末装置４は、設定手段２１、入出力手段２２、記憶手段２３、表示手段２４、制御手段２５を備えている。
【００２０】
設定手段２１は、例えばユーザにより手動操作されるキーボードやマウスなどで構成され、表示手段２４の表示画面２４ａ上に現在表示されている複数のチャートの中から任意のチャンネルを選択するチャンネル選択手段２１ａを含む。このチャンネルの選択は、例えばキーボードやマウスにより図３に示す表示画面２４ａ上のチャンネル表示部３１の表示部分を選択して行う。この他、チャンネルの選択は、後述するスケール表示部３３のチャンネル指標３５、チャートの線、チャートの線の近傍に表示されるチャンネル指標を選択することにより行うことができる。さらに、設定手段２１では、チャンネル選択の他、表示手段２４の表示画面２４ａ上に表示する各チャンネル毎の測定データの表示を行う際の各種設定を行っている。具体的には、表示手段２４の表示画面２４ａ上に各チャンネル毎の測定データを表示するためのブラウザの起動、表示画面２４ａ上にチャート表示する測定データのチャンネル数の設定、各チャンネルの測定レンジを示すスケールの範囲設定、各チャンネルの表示色の設定などを行っている。この設定手段２１で設定される各種設定情報は制御手段２５に入力される。
【００２１】
入出力手段２２は、Ｉ／Ｏインターフェースであり、データ収録装置３に収録された測定データを表示する際に測定データの閲覧要求を示す信号を出力し、この閲覧要求に対してデータ収録装置３から送られる各チャンネル毎の測定データを入力している。
【００２２】
記憶手段２３は、例えばＲＯＭ，ＲＡＭの他、例えばコンパクトフラッシュ（Ｒ）メモリカードのような外部記憶媒体などで構成される。この記憶手段２３には、ＬＡＮケーブル２を介してデータ収録装置３の記憶手段１３から取り込んだ収録データの表示処理に関する各種処理プログラムが記憶されている。また、記憶手段２３は、入出力手段２２から入力される各チャンネル毎の測定データを記憶している。さらに、記憶手段２３は、チャンネル選択手段２１ａが操作される前後の表示データを記憶している。
【００２３】
表示手段２４は、データ収録装置３に収録された各チャンネル毎の測定データを制御手段２５の制御によりブラウザを用いて表示している。本例の表示手段２４では、図３乃至図５に示すような表示フォーマットで各チャンネル毎の測定データを表示画面２４ａに表示している。図３乃至図５に示すように、表示フォーマットは、各チャンネルを表示するチャンネル表示部３１、各チャンネル表示部３１のチャンネルに対応して現在データを数値表示する現在データ表示部３２、各チャンネルの測定レンジ範囲を表示するスケール表示部３３、各チャンネル毎の経時変化を異なる色でチャート表示するチャート表示部３４が表示画面２４ａの上方から順に配置されている。
【００２４】
制御手段２５は、例えばＣＰＵなどのマイクロプロセッサで構成され、設定手段２１に設定された各種設定情報と記憶手段２３に格納された各種処理プログラムに基づいて各チャンネル毎の測定データの各種表示に関する処理を制御している。
【００２５】
次に、上記のように構成されたデータ表示装置により所望のチャンネルのチャートを表示させる場合の動作について図３乃至図５を参照しながら説明する。
【００２６】
端末装置４のブラウザを起動させて測定データの表示を実行すると、データ収録装置３によって収録された各チャンネル毎の測定データが図３に示す表示フォーマットで表示手段２４の表示画面２４ａ上に表示される。
【００２７】
例えば最初に１６チャンネル分の測定データを表示する設定がなされた場合には、図３に示すように、チャンネル表示部３１のチャンネル１〜１６の各チャンネルに対応して現在データが現在データ表示部３２に表示される。この現在データは、端末装置４側から定期的に要求することにより更新表示される。また、データ収録装置３が入力信号を取り込む毎に端末装置４側に送信して更新表示することも可能である。現在データ表示部３２の下方のスケール表示部３３には、各チャンネルのスケールが表示される。このスケールは、チャンネルによって異なる測定レンジ範囲で測定することもあるので、その場合には複数のスケールが上下に並んで表示される。図３はスケール表示部３３に４種類のスケールを表示している例である。さらに、図３に示すように、スケール表示部３３の下方のチャート表示部３４には、チャンネル１〜１６の各チャンネルの経時変化を示すチャートが表示される。
【００２８】
なお、スケール表示部３３には、各チャンネルのチャートのチャンネル情報を示すチャンネル指標３５が表示される。具体的には、チャート表示部３４に表示された各チャンネルの現在データの位置に対応してチャンネル番号が付されたチャンネル指標３５がスケール表示部３３に表示される。このチャンネル指標３５の表示について、図３の例では、チャンネル同士で現在データが重なる場合にチャンネル番号の低い方を優先的に表示しているが、スケール表示部３３の表示領域を拡張すれば、上下に並べて表示することも可能である。また、チャンネル指標３５は、該当するチャンネルのチャートの近傍（現在データの近傍やチャートの途中のデータの近傍など任意の位置）に表示しても良い。さらに、端末装置４の表示手段２４の表示画面２４ａ上に表示する測定データのチャンネル数などの初期設定は、端末装置２４のブラウザ上の画面から行うことができる。
【００２９】
このように、チャート表示部３４に複数本のチャートが表示されている状態でチャンネル表示部３１のチャンネル表示部分（チャンネル選択手段２１ａに相当）にタッチまたはクリック等を行うと、そのチャンネル表示部３１のチャンネル表示部分が凹んだような表示になり、チャンネルが選択される。そして、チャンネルが選択されると、そのチャンネルのチャートと、そのチャートと対応するスケールのみが表示画面２４ａ上に表示される。なお、現在データに関しては全チャンネル表示される。例えば図３の表示状態でチャンネル表示部３４のチャンネル表示部分の「１」をタッチまたはクリック等により選択すると、図４に示すように、チャンネル１のチャートと、チャンネル１のチャートと対応するスケールのみが表示画面２４ａ上に表示される。また、図４の表示状態でチャンネル表示部３４のチャンネル表示部分の「２」をタッチまたはクリック等により選択すると、図５に示すように、既に選択されているチャンネル１に加え、チャンネル２のチャートと、チャンネル２のチャートと対応するスケールが表示画面２４ａ上に表示される。
【００３０】
そして、再度同じチャンネル表示部３１のチャンネル表示部分にタッチまたはクリック等によりチャンネルを選択すると、チャンネル表示部３１の表示部分が元の状態に戻ってチャンネルが解除され、チャート表示とスケール表示がチャンネルを選択する前の状態に戻る。例えば図３の表示状態から図４の表示状態で再度チャンネル表示部３４のチャンネル表示部分の「１」をタッチまたはクリック等により選択すると、１６チャンネル分のチャートと、各チャンネルと対応するスケールが表示された図３の表示状態に戻る。また、図３の表示状態から図４の表示状態を経て図５の表示状態に変更した状態で再度チャンネル表示部３４のチャンネル表示部分の「２」をタッチまたはクリック等により選択すると、チャンネル１のチャートと、チャンネル１のチャートと対応するスケールのみが表示画面２４ａに表示された図４の表示状態に戻る。
【００３１】
上述したチャンネル選択の操作を複数のチャンネルで行うと、それらのチャンネルのチャートと、そのチャンネルのチャートと対応するスケールがチャンネル選択される毎に順次切り替え表示される。そして、チャンネル選択を再度行うことによりそのチャンネルの選択を解除し、全て解除するとチャンネル選択を行う前の状態（例えば初期設定で表示するチャンネル数が１６であれば１６チャンネル分の表示）に戻る。なお、上述した動作において、チャンネルの選択は、チャンネル指標、チャートの線、チャートの線の近傍に表示されるチャンネル指標を選択して行うこともできる。
【００３２】
このように、本例のデータ表示装置１では、複数本のチャートが表示されている画面で、チャンネル表示部３１のチャンネル表示部分にタッチまたはクリック等によりチャンネル選択することにより、そのチャンネルの測定データのチャートと、そのチャートと対応するスケールのみを表示する。この作業を複数のチャンネルに行うことで複数チャンネルのチャート表示とスケール表示も可能になる。また、既にチャンネル選択されているチャンネル表示部３１に再度タッチまたはクリック等によりチャンネル選択を行うと、そのチャンネルのチャートが非表示となり、全て解除した場合には全チャンネルのチャートが表示される。
【００３３】
従って、本例のデータ表示装置１によれば、従来のように、チャート表示を変更する度に設定画面を表示させて設定を行う必要がなく、一度初期設定を済ませれば、タッチまたはクリック等のチャンネル選択による簡単な操作で所望チャンネルの測定データのチャートと、そのチャートと対応するスケールのみの表示を行うことができる。また、現在データと対応してスケールにチャンネル情報を表示することもできる。
【００３４】
ところで、本例のデータ表示装置１は、データ収録装置３と端末装置４がＬＡＮ接続され、端末装置４でブラウザを起動させてデータ収録装置３が収録した測定データのチャートを含む表示を行う構成としたが、データ収録装置３と端末装置４を一体化して図６に示すペーパーレス記録計１の構成としても良い。この場合、ペーパーレス記録計１は、図２の端末装置４の構成と概略等しくなり、入出力手段２２からチャンネル毎の各種入力信号を入力し、この入力されデータを記憶手段２３に記憶する。そして、図６に示すように、表示手段２４の表示画面２４ａ上に各チャンネル毎の経時変化を示すチャート表示（各チャンネル毎の現在データやスケールの表示を含む）行えば、図１に示すようなＬＡＮ接続が不要なスタンドアロンの構成とすることもできる。
【００３５】
【発明の効果】
以上の説明で明らかなように、本発明によれば、従来のように、設定画面を一旦表示させて設定を行う必要がなく、一度初期設定を済ませれば、タッチまたはクリック等のチャンネル選択による簡単な操作で所望チャンネルの測定データのチャートのみの表示を行うことができる。また、表示される各チャンネルのチャートと対応するスケールを表示画面上に同時に表示することができる。さらに、現在データと対応してスケールにチャンネル情報を表示することもできる。
【図面の簡単な説明】
【図１】本発明に係るデータ表示装置の概略構成図である。
【図２】本発明に係るデータ表示装置の機能ブロック図である。
【図３】本発明に係るデータ表示装置による各チャンネル毎の測定データの表示例を示す図である。
【図４】本発明に係るデータ表示装置による各チャンネル毎の測定データの表示例を示す図である。
【図５】本発明に係るデータ表示装置による各チャンネル毎の測定データの表示例を示す図である。
【図６】本発明に係るデータ表示装置の他の構成例を示す図である。
【図７】従来のペーパーレス記録計の正面図である。
【符号の説明】
１…データ表示装置、２…ＬＡＮケーブル、３…データ収録装置、４…端末装置、１１…設定手段、１２…入出力手段、１３…記憶手段、１４…制御手段、１５…通信ケーブル、１６…入力モジュール、２１…設定手段、２１ａ…チャンネル選択手段、２２…入出力手段、２３…記憶手段、２４…表示手段、２４ａ…表示画面、２５…制御手段、３１…チャンネル表示部、３２…現在データ表示部、３３…スケール表示部、３４…チャート表示部、３５…チャンネル指標。
【図１】
2004325121.tif 000003
【図２】
2004325121.tif 000004
【図３】
2004325121.tif 000005
【図４】
2004325121.tif 000006
【図５】
2004325121.tif 000007
【図６】
2004325121.tif 000008
【図７】
2004325121.tif 000009